(57)【特許請求の範囲】
【請求項１】
弾力性を有す実質的に中空かつ両側に開口部を設けた筒状直方体の枕置き台であり、前記筒状直方体内部に、樹脂、ゴム、シリコーン樹脂、シリコーンゴム、金属、木、紙、布、竹から選択した素材により球体で形成された複数の枕置き台支持部を設けて、前記の枕置き台支持部が前記記載の枕置き台内部から出し入れができると共に枕置き台内部の好みの位置に移設ができることを特徴とする枕置き台。
【発明の詳細な説明】
【技術分野】
【０００１】
本発明は弾力性を有する中空構造の枕置き台に関する。
【背景技術】
【０００２】
従来の枕は枕本体を中空構造とし枕内部に枕支持部を設けた物が知られている。（例えば下記特許文献１参照）また枕内部に頭部支持部を出し入れできる物が知られている。（例えば下記特許文献２参照）
【先行技術文献】
【特許文献】
【０００３】
【特許文献１】特開２０１３−２４４１９７  公開
【特許文献２】特開２０１１−０７２７６１  公開
【発明の概要】
【発明が解決しようとする課題】
【０００４】
従来の枕は頭の荷重分散のみを考えられており寝具からの応力は考慮されていなかった。また熟睡に必要な体の深部体温を下げることも解決されていなかった。また枕単体のみでは使用者の体型や体質にあった高さ調節や好みにあった硬さ調節はできにくく首への負担が大きくなる不具合が生じていた。（特許文献１）
【０００５】
また枕内部に頭部支持部を出し入れしている枕は高さ調節のため頭部支持部を枕から抜き所望の高さの枕にすると枕が縮小され寝づらくなる欠点が生じていた。（特許文献２）
【課題を解決するための手段】
【０００６】
本発明は上記課題を解決する枕置き台であって次のようなものである。
【０００７】
本発明の枕置き台は弾力性を有する中空の筒状体で形成され前記筒状体の側面と対になっている側面の両側面に開口部が設けられており、前記筒状体内部に出し入れ可能な弾力性を有する枕置き台支持部を設けたことを特徴とする。
【０００８】
また本発明の枕置き台上部には高さ調節機能を兼ねた枕を設置できることを特徴とする。
【０００９】
枕置き台が実質的に中空の筒状体で両側側面に開口部を持つことにより開口部より枕の蓄熱を排出でき枕の温度上昇を抑える効果がある。
【００１０】
枕置き台と枕置き台支持部には弾力性があるので高さ調節を兼ねた枕を薄くできる効果がある。
【００１１】
本発明は中空の筒状体の枕置き台を枕の下に配置することにより、筒状体の高さの分だけ枕を薄くできる効果がある。その効果により枕に熱や湿気がたまりにくくなり排熱しやすく湿気も排出しやすくなる効果がある。
【００１２】
前記記載の効果により枕が薄くできるので枕の蓄熱量を減らせ枕の温度上昇による寝苦しさを減らす効果がある。
【００１３】
本発明は枕と枕置き台に構造を分けた効果により枕置き台のみ構造の強度を上げられる。枕置き台の構造の強度を上げた効果により寝具に対する体の沈み込み度合いに合わせた枕の高さ調節ができる効果がある。
【００１４】
高さ調節を兼ねる枕と枕置き台の構造を分けた効果により頭に直接触れる枕のみ単独で洗うことができ衛生面でも効果がある。
【００１５】
また枕置き台支持部は枕置き台内部を自由に移動できるため体型や好みに合った枕置き台支持部を選べる効果がある。また枕置き台支持部を好みの位置に移設できる効果がある。
【図面の簡単な説明】
【００１６】
【図１】本発明の第一実施形態である枕置き台の使用形態の斜視図である。
【図２】本発明の枕置き台の斜視図である。
【図３】本発明の枕置き台の斜視図である。
【図４】本発明の枕の斜視図である。
【発明を実施するための形態】
【００１７】
以下、本発明の第一実施形態を図面に基づき説明する。
【００１８】
図１は第一実施形態である枕置き台１の使用形態の斜視図である。図１の枕置き台１は実質的に弾力性のある筒状体で形成され枕置き台１内部には枕置き台支持部２が設けられ枕置き台１内部壁面の上面または底面に接合している。または枕置き台１内部壁面の上面と底面の両面に接合している。また枕置き台１上部には枕４が載せられている。
【００１９】
図１の枕置き台１上部に載せられている枕４は枕４の上に頭を載せて動かせても頭が枕４より落ちにくい大きさを有している。
【００２０】
図１の枕置き台１を形成する素材としては素材の硬さ、柔らかさ、通気度、透湿度、強度、重量などを考慮して適宜決めればよい。
【００２１】
また前記、通気度、透湿度の観点からは紙、木、布などが好適に用いられる。また竹を用いることも好ましい。紙は多孔質構造になっているので通気度、透湿度の効果が得られやすい。また通気度、透湿度を考慮し複層化した紙や段ボールも好ましい。
【００２２】
また強度付与する目的で用いられる枕置き台１の素材としては樹脂、ゴム、シリコーン樹脂、シリコーンゴム、金属、木が好適に用いられる。また強度を保ちつつ通気度、透湿度を高めるために様様な通気度、透湿度を有する実質的に混合材でもよく、また積層構造にすることにより通気度、透湿度の加減が調節できる。
【００２３】
枕置き台１は実質的に筒状体表面全面や底面を滑り止め構造にすることで枕４や寝具からがずれにくくなる効果がある。
【００２４】
枕置き台１は実質的に筒状体に外装材を取り付け、その外装材を取り外せるようになっていてもよく、筒状体または外装材に磁石などを取り付けてもよい。
【００２５】
枕置き台１と枕４は実質的に紐で固定してもよく実質的に袋に収納することで更に固定しやすくなる。
【００２６】
次に第一実施形態の図１に記載の枕置き台支持部２について詳述する。枕置き台支持部２は枕４や枕置き台１にかかる荷重や寝具からの応力を分散させる効果がある。
【００２７】
枕置き台支持部２は実質的に単体で構成され枕置き台１の内部から取り外せることもできるので枕置き台１内部を自由に移設でき好みの場所に設置できる。
【００２８】
また枕置き台支持部２は枕置き台１内部に実質的に固定されていてもよく、また実質的に一部分の枕置き台支持部２が枕置き台１内部に固定され他の部分の枕置き台支持部２は移設可能な状態で設置されていてもよい。
【００２９】
枕置き台支持部２を形成する素材としては弾力性、硬度、強度、重量などを考慮して適宜決定すればよい。
【００３０】
枕置き台支持部２の素材としては強度付与の目的から実質的に樹脂、ゴム、シリコーン樹脂、シリコーンゴム、金属、木、紙、布、竹が好ましい。
【００３１】        枕置き台支持部２は実質的に球体で形成されていることが望ましく、実質的に前記形状に穴が開いてあるものも好ましい。
【００３２】
枕置き台支持部２は実質的に単体で形成され枕置き台１内部から出し入れや移設ができるので好みの位置に移設でき好みの硬さの枕置き台支持部２と交換ができる効果がある。
【００３３】
また実質的に枕置き台支持部２を容器としその内部に香料を入れて使用する他に枕置き台支持部２外面に香料を付加することによりリラックス効果が得られる。
【００３４】
枕置き台１は実質的に筒状体で形成され筒状体上部から底部に連なる角をなだらかに傾斜させることにより角に頭を載せたときに起こる痛みを軽減できる。
【００３５】
また枕置き台１上部に枕４を置くことにより体型にあった高さに調節できる。
【００３６】
次に第一実施形態の図４の枕４について詳述する。枕４を形成する素材としては樹脂、布、実質的に網目が立体的に絡み合う素材、内容物や外表皮を取り去った乾燥したヘチマなどが好適である。またタオルは折り畳んで高さ調節できるうえに安価に入手でき洗えるので最適である。
【００３７】
また枕４と枕置き台１は構造が分離されているので枕４のみ洗えるため洗い替えがしやすく枕に付着した体臭も除去もしやすくなる効果がある。
【００３８】
枕４は枕置き台１を中空の筒状体に形成した分だけ高さがあるので、その高さ分だけ枕を薄くすることができる。そのため従来の枕より蓄熱しにくく湿気もたまりにくい効果がある。
【００３９】
第一実施形態の図３の枕置き台１１は筒状体に実質的に穴５が設けられたものであり枕４に蓄熱された熱や湿気を排出する効果がある。
【００４０】
本発明の枕置き台１は前述した実施形態に制限されることなく本発明の趣旨を逸脱しない限り適宜変更可能である。本発明の枕置き台１は第一実施形態の枕置き台１に制限されず例えば（１）枕置き台１内部に冷却材を入れて頭を冷やす（２）枕置き台１内部に芳香剤を入れて安眠効果を得る（３）枕置き台１内側に音声発生装置を入れて音声を流すなどに変更可能である。
【産業上の利用可能性】
【００４１】
本発明は寝姿勢を安定させ安眠を得るために活用できる。
【符号の説明】
【００４２】
１    枕置き台
２    枕置き台支持部
３    開口部
４    枕
５    穴
１１  枕置き台
【図１】
0006342836.tif 000002
【図２】
0006342836.tif 000003
【図３】
0006342836.tif 000004
【図４】
0006342836.tif 000005